(57)【要約】【課題】簡単に画質を向上することができる。【解決手段】表示基板１２と背面基板１８との間を、表示基板１２のライン状電極２８と背面基板１８のライン状電極３４とが交差する交点部に対応する画素領域が複数含まれるように区画化し、少なくとも一区画内の複数のライン状電極に同電位の電圧印加する。このため、区画毎に均一な着色粒子（白色粒子２２及び黒色粒子２４）の移動を制御することができ、滲みや抜けの無い画質向上された表示画像を得ることができる、という効果が得られる。【選択図】        図１
2004198861.tif 000002
【特許請求の範囲】
【請求項１】
少なくとも透光性を有する表示基板と、前記表示基板と間隙をもって対向する背面基板と、複数の表示基板用電極と、複数の背面基板用電極と、前記表示基板と前記背面基板との基板間を、各々前記表示基板用電極と前記背面基板用電極とが交差する交点部に対応する画素領域を複数含むように複数の区画に区画化し、前記表示基板用電極と前記背面基板用電極に印加された電圧により形成された電界に応じて前記区画内を移動可能に封入された少なくとも１種類の着色粒子群と、を備えた画像表示媒体と、
前記画像表示媒体に対して、前記複数区画のうち少なくとも一区画を担当する複数の前記表示基板用電極及び複数の前記背面基板用電極の各々に前記区画内において前記着色粒子群を移動させるための電界を発生させるための同電位の電圧を印加する電圧印加手段と、
を備えたことを特徴とする画像表示装置。
【請求項２】
前記画像表示媒体の前記表示基板には、前記表示基板用電極が設けられ、前記背面基板には、前記背面基板用電極が設けられたことを特徴とする請求項１に記載の画像表示装置。
【請求項３】
前記着色粒子群は、色及び帯電特性が異なる複数種類の着色粒子群であることを特徴とする請求項１または請求項２に記載の画像表示装置。
【請求項４】
前記着色粒子群は、白色及び黒色の着色粒子群であることを特徴とする請求項３に記載の画像表示装置。
【請求項５】
前記画像表示媒体は、前記表示基板に設けられた電極及び前記背面基板に設けられた電極が一方向に略平行に設けられた複数のライン状電極で構成され、前記画素領域がマトリクス状に配置されたことを特徴とする請求項２乃至請求項４の何れか１項に記載の画像表示装置。
【発明の詳細な説明】
【０００１】
【発明の属する技術分野】
本発明は、電界によって着色粒子を駆動して画像表示媒体に画像を表示する画像表示装置に関する。
【０００２】
【従来の技術】
従来、繰返し書換え可能な画像表示装置として、電界によって移動する粒子を用いて画像表示を行う画像表示装置が知られている。このような画像表示装置において、透明な表示基板と、これと微小間隙をもって対向する背面基板の間に、導電性の黒色粒子と絶縁性の白色粒子を封入した構成の画像表示媒体を備えた技術が知られている（例えば、非特許文献１、及び特許文献１参照。）。この技術によれば、これらの基板間に電圧を印加すると、黒色粒子は正に帯電し、基板間に形成された電界に応じて白色粒子を押し分けながら基板間を移動する。ここで、黒色粒子を表示基板側に移動させると黒表示が行われ、黒色粒子を背面基板側に移動させると、白色粒子による白表示が行われる。従って、表示画像の画像情報に応じて基板間に電圧を印可し、黒色粒子を移動させることによって白黒の画像表示を行うことができる。
【０００３】
これらの画像表示媒体は、透明な表示基板面に画像情報に応じて２種類の着色粒子の何れか１種類の着色粒子を付着させることで画像を表示するものであり、光隠蔽性の高い着色粒子を使用することで、色の異なる2種類の粒子による鮮明な画像表示を行うことが可能である。
【０００４】
また、透明な表示基板と背面基板との間に、色及び帯電特性が異なる（互いに相反する極性に帯電した）２種類の着色粒子群を封入し、表示基板と背面基板との間に電界を作用させることで、２種類の着色粒子群をそれぞれ別々の基板側に移動させて表示を行う方法が知られている。このような画像表示媒体では、画像情報に応じて基板間に電圧を印加すれば、コントラストの高い鮮明な画像表示を行うことが可能である。このような方法において、画像表示媒体は、ある印加電圧（閾値電圧）までは画像表示が行われないという特性を有するため、粒子の駆動にあたっては、表示基板と背面基板とにライン状の電極を設けて１ライン毎に電圧を順次印加することによって画像表示を行う単純マトリクス駆動を採用することができる。
【０００５】
【非特許文献１】
ＪａｐａｎＨａｒｄｃｏｐｙ、１９９９論文集、Ｐ．２４９−２５２
【特許文献１】
特開平２０００―３４７４８３号公報  （第６−７頁、図１）
【０００６】
【発明が解決しようとする課題】
しかしながら、このような画像表示装置において、単純マトリクス駆動を適用した場合には、基板間に生じる電界が該当する電極間を結ぶ直線から外れて外部を通過する場合があり、所望の電極間を移動しないときがある。
【０００７】
例えば、複数のライン状の電極を有する表示基板と背面基板とを、電極が交差するように形成し、表示基板または背面基板の隣接する電極間に電位差が発生するように表示駆動電圧が印加された場合には、隣接する電極間で電界（エッジ電界）が形成され、さらに隣接する電極間の距離が基板間距離に対して小さいとき、隣接電極間に強い電界（エッジ電界）が形成される。これにより、本来の電極間を移動すべき隣接電極間付近の着色粒子は、エッジ電界によって隣接電極へ移動する場合がある。このため、電極間を移動すべき着色粒子が移動すべきではない位置へ移動することによって、像の滲みや潰れが目立ち、表示品質が劣化するという問題があった。
【０００８】
本発明は、上記事実を考慮して成されたものであり、簡単に画質を向上することができる画像表示装置を提供することを目的とする。
【０００９】
【課題を解決するための手段】
上記目的を達成するために本発明の画像表示装置は、少なくとも透光性を有する表示基板と、前記表示基板と間隙をもって対向する背面基板と、複数の表示基板用電極と、複数の背面基板用電極と、前記表示基板と前記背面基板との基板間を、各々前記表示基板用電極と前記背面基板用電極とが交差する交点部に対応する画素領域を複数含むように複数の区画に区画化し、前記表示基板用電極と前記背面基板用電極に印加された電圧により形成された電界に応じて前記区画内を移動可能に封入された少なくとも１種類の着色粒子群と、を備えた画像表示媒体と、前記画像表示媒体に対して、前記複数区画のうち少なくとも一区画を担当する複数の前記表示基板用電極及び複数の前記背面基板用電極の各々に前記区画内において前記着色粒子群を移動させるための電界を発生させるための同電位の電圧を印加する電圧印加手段と、を備えたことを特徴とする。
【００１０】
本発明の画像表示装置は、画像表示媒体を備えている。画像表示媒体は、少なくとも透光性を有する表示基板と、表示基板と間隙をもって対向する少なくとも透光性を有する背面基板との間に、着色粒子群が封入されている。また、本発明の画像表示媒体は、複数の表示基板用電極と、複数の背面基板用電極を備えている。表示基板用電極と背面基板用電極は、表示基板と背面基板との間の着色粒子群に対して電界を与えるためのものである。表示基板と背面基板との基板間は、複数の区画に区画化されている。各々の区画は、表示基板用電極と背面基板用電極とが交差する交点部に対応する画素領域が複数含まれるように区画化される。電圧印加手段は、区画内において着色粒子群を移動させるための電界を発生させるための電圧を印加するためのものであり、複数区画のうち少なくとも一区画を担当する複数の表示基板用電極及び複数の背面基板用電極の各々に同電位の電圧を印加する。従って、その一区画内では、各電極による電界が略均一に生じ、形成された電界に応じて、着色粒子群は同一区画内を移動する。
【００１１】
このように、各電極毎に異なる電位の電圧を順次印加するのではなく、一区画を担当する複数の表示基板用電極及び複数の背面基板用電極の各々に同電位の電圧を印加するので、着色粒子群は、一区画内で同一方向に移動する。このため、一つの区画毎に均一の画像表示を図ることができ、コントラストの高い鮮明な画像表示を行うことができる。
【００１２】
例えば、本発明の画像表示装置は、各区画内の一部を光が透過するように着色粒子を移動する画像表示媒体に効果的である。例えば、赤、緑、青を含む着色層を形成した背面基板を構成し、封入された着色粒子を着色層が露出するように電界を印加して移動させ、所定の着色層を露出させることによって、多色表示を行うものがある。この画像表示媒体において着色粒子の色による表示（例えば白黒表示）を行う場合に本発明を適用することで、白黒表示が鮮明になる。
【００１３】
前記画像表示媒体の前記表示基板には、前記表示基板用電極を設け、前記背面基板には、前記背面基板用電極を設けることができる。
【００１４】
表示基板用電極は、表示基板に一体的に設けられ、また背面基板用電極は、背面基板に一体的に設けることができるので、電圧印加手段によって効率よく表示基板と背面基板との間に電圧を印可することができる。
【００１５】
前記着色粒子群は、色及び帯電特性が異なる複数種類の着色粒子群で構成することができる。電圧印加手段は、印加する同電位の電圧として各着色粒子群の帯電特性に応じた電位を印加することによって、簡単に印加した電位の電圧に応じた着色粒子を移動させることができる。このため、簡単に表示色を変更することができる。また、前記着色粒子群を、白色及び黒色の着色粒子群で構成することによって、白黒反転色をさらに鮮明に表示することができる。
【００１６】
前記画像表示媒体は、前記表示基板に設けられた電極及び前記背面基板に設けられた電極が一方向に略平行に設けられた複数のライン状電極で構成され、前記画素領域がマトリクス状に配置されるように構成することができる。
【００１７】
画像表示装置は、画素領域を複数のライン状電極でマトリクス状に構成することによって、単純マトリクス駆動を適用することができる。単純マトリクス駆動を適用すると、表示基板または背面基板の隣接する電極間に電位差が発生するように表示駆動電圧が印加された場合に、隣接する電極間で電界（エッジ電界）が形成され、さらに隣接する電極間の距離が基板間距離に対して小さいとき、隣接電極間に強い電界（エッジ電界）が形成される。これにより、基板間に生じる電界が該当する電極間を結ぶ直線から外れて外部を通過する場合があり、所望の電極間を移動しないときがある。
【００１８】
このため、マトリクス状に形成された表示基板のライン状電極と背面基板のライン状電極とが交差する交点部に対応する画素領域が複数含まれるように、表示基板と背面基板との間を区画化した領域で均一な画像表示を行う場合、各区画毎に同電位の電圧を印加することによって、電極間を移動すべき着色粒子が移動すべきではない位置へ移動することを防ぐことができ、簡単に画質を向上することができる。
【００１９】
【発明の実施の形態】
本発明の画像表示装置に係る第１の実施の形態を図面に基づき説明する。
【００２０】
図１に示すように、画像表示装置１０は、画像表示媒体１２及び駆動部１４を備えている。画像表示媒体１２は、画像を表示するためのものであり、駆動装置１４に接続されている。駆動装置１４は、画像表示媒体１２を駆動するためのののであり、画像情報に応じて画像表示媒体１２に電圧を選択的に印加するためのものである。
【００２１】
画像表示媒体１２は、視認側Ｘに設けられた透明な表示基板１６、表示基板１６と微少間隙をもって対向する透明な背面基板１８、これらの基板間を所定間隔に保持するとともに、これらの基板間を複数の区画に区画化するための間隙部材２０、及びこれらの基板間に封入された帯電特性の異なる白色粒子２２及び黒色粒子２４で構成されている。
【００２２】
表示基板１６は、ガラス基板２６、ライン状電極２８、及び絶縁層３０が積層された構成となっている。ガラス基板２６としては、本実施の形態では、厚み１．１ｍｍの（コーニング社製♯１７３７）ガラス基板を使用する。このガラス基板２６上には、ＩＴＯ導電膜により、複数のライン状電極２８が形成されている。ライン状電極２８は、表示画像の縦方向の単位画素列に対応し、具体的には、幅０．１ｍｍ、ピッチ（隣接電極間隔）０．０２ｍｍで形成した。絶縁層３０は、ライン状電極２８にポリカーボネート樹脂を塗布することにより形成した。
【００２３】
背面基板１８は、ガラス基板３２、ライン状電極３４、着色層３６、及び絶縁層３８が積層された構成となっている。ガラス基板３２としては、ガラス基板２６と同様に、厚み１．１ｍｍの（コーニング社製♯１７３７）ガラス基板を使用する。このガラス基板３２上には、ＩＴＯ導電膜により、複数のライン状電極３４が形成されている。ライン状電極３４は、表示画像の横方向の単位画素列に対応し、ライン状電極２８と同様に、幅０．１ｍｍ、ピッチ（隣接電極間隔）０．０２ｍｍで形成した。なお、ライン状電極２８とライン状電極３４は、画像表示媒体１２を形成した際に、それぞれのライン状電極が直交するように配置される。絶縁層３８は、表示層３６にポリカーボネート樹脂を塗布することにより形成した。
【００２４】
表示層３６は、ガラス基板３２上に形成されたライン状電極３４側に白色のインクで前面印刷して白色反射層を形成した後に、Ｙｅｌｌｏｗ、Ｍｇｅｎｔａ、Ｃｙａｎのカラーインクを塗布することによりストライプ状に規則的に並べられた着色層３６Ｙ、３６Ｍ、３６Ｃを形成した。着色層３６Ｙ、３６Ｍ、３６Ｃは、背面基板１８に形成されたライン状電極３４に沿って形成され、各色ストライプの幅は、一例として０．１２ｍｍとした。
【００２５】
なお、白色反射層は薄く形成して光透過性をもたせてもよい。また、白色反射層を形成せず、光透過性の着色層３６のみとしてもよい。また、着色層３６Ｙ、３６Ｍ、３６Ｃは、表示基板１６に形成されたライン状電極２８と各々対向するように形成してもよい。
【００２６】
間隙部材２０は、表示基板１６の透明性を損なわないように形成される。間隙部材２０は、本実施の形態では、ドライフィルム型フォトレジストのフォトエッチングによって形成され、高さ２００μｍとされている。画像表示媒体１２は、間隙部材２０によって、表示基板と背面基板との間を、表示基板１６のライン状電極２８と背面基板１８のライン状電極３４とが交差する交点部に対応する画素領域が複数含まれるように区画化されている。本実施の形態では、各区画のピッチを０．３６ｍｍ、幅を１００μｍとした。
【００２７】
なお、間隙部材２０は、背面基板１８に熱硬化性エポキシ樹脂をスクリーン印刷によって所望のパターン形状に塗布し、これを加熱硬化させ、さらに必要な高さになるまでこの工程を繰返すことによって形成してもよい。また、間隙部材２０は、射出圧縮成形やエンボス加工、熱プレス加工等によって所望の表面形状に形成した熱可塑性フィルムを背面基板１８に接着することで形成することもできる。また、エンボス加工や熱プレス加工によれば、間隙部材２０を背面基板１８と一体成形とすることも可能である。もちろん、透明性を損なわなければ表示基板１６側に間隙部材２０を形成してもよいし、表示基板１６と一体成形してもよい。
【００２８】
本実施の形態では、画像表示媒体１２は、間隙部材２０によって基板間を画像書込み方向と垂直にならんだ画素列毎に、かつ多色表示の最小画素を形成する３つの画素単位毎に区画化されている。すなわち、各区画は、着色層３６Ｙ、着色層３６Ｍ、及び着色層３６Ｙの各ストライプ一本ずつを一組として、１区画内に含まれるように形成される。ライン状電極３４は、着色層３６の各ストライプに沿って形成されているので、１区画内には３本のライン状電極３４が形成された状態となる。
【００２９】
白色粒子２２は、本実施の形態では、イソプロピルトリメトキシシラン処理したチタニアの微粉末を、重量比１００対０．１の割合で混合した体積平均粒径２０μｍの酸化チタン含有架橋ポリメチルメタクリレートの球状白粒子（積水化成品工業（株）製テクポリマーＭＢＸ−２０−ホワイト）を用いた。また、黒色粒子２４としては、アミノプロピルトリメトキシシラン処理したアエロジルＡ１３０微粉末を、重量比１００対０．２の割合で混合した体積平均粒径２０μｍのカーボン含有架橋ポリメチルメタクリレー卜の球状黒粒子（積水化成品工業（株）製テクポリマーＭＢＸ−２０−ブラック）を用いた。本実施の形態では，白色粒子２２と黒色粒子２４とを重量比２対１の割合で混合した混合粒子を用いた。この際、白色粒子２２は負に、黒色粒子２４は正に帯電した。
【００３０】
本実施の形態では、白色粒子２２と黒色粒子２４の混合粒子約２０ｍｇを、間隙部材２０を形成した背面基板１８の各区画内にスクリーンを通して均一に振るい落とした。次に、表示基板１６の絶縁層３０側を間隙部材２０側にして表示基板１６を背面基板１８に配置し、両基板を紫外線硬化型の接着剤で接着し、画像表示媒体１２を形成した。このとき、基板間の空隙体積に対する白色粒子２２と黒色粒子２４との総体積比は、約１０％とした。
【００３１】
なお、表示基板１６が本発明の表示基板に相当し、背面基板１８が本発明の背面基板に相当し、白色粒子２２及び黒色粒子２４が本発明の着色粒子群に相当する。また、画像表示媒体１２が本発明の画像表示媒体に相当し、ライン状電極２６及びライン状電極４２が本発明の電極に相当し、駆動装置１４が本発明の電圧印加手段に相当する。
【００３２】
図２には、本実施の形態に係る画像表示装置１０の電気的な構成をブロック図として示した。
【００３３】
画像表示媒体１２は、表示基板１６に形成されたライン状電極２８と、背面基板１８に形成されたライン状電極３４とが互いに交差するように配置された単純マトリクス駆動方式の構成となっている。なお、図示は省略するが、ライン状電極２８及びライン状電極３４は、各々画像表示に必要な縦横画素数に対応した本数の電極が各基板に形成されている。
【００３４】
駆動装置１４は、列電極駆動回路４０、行電極駆動回路４２、シーケンサ４４、外部電源４６、及び画像入力装置４８から構成されている。ライン状電極２８は、列電極駆動回路４０に接続されている。ライン状電極３４は、行電極駆動回路４２に接続されている。列電極駆動回路４０及び行電極駆動回路４２はシーケンサ４４と外部電源４６に接続されている。シーケンサ４４は、画像入力装置４８に接続されており、画像入力装置４８から入力される画像情報に応じて、列電極駆動回路４０及び行電極駆動回路４２に信号を出力する。
【００３５】
このような画像表示装置１０では、シーケンサ４４から各ライン状電極３４毎の画像書込信号（走査信号）が行電極駆動回路４２に送られ、行電極駆動回路４２からライン状電極３４に画像書込み電圧（以下、走査電圧という）が順次印加される。同時にライン状電極３４に順次印加される走査電圧の印加と同期して、走査電圧が印加されるライン状電極３４に対応した画像情報信号がシーケンサ４４から列電極駆動回路４０へ送られる。列電極駆動回路４０は、画像情報に応じた画像書込電圧（以下、画像信号電圧という）をライン状電極２８に一斉に印加する。なお、ライン状電極３４に印加する走査電圧の走査方向は、矢印Ｚ方向とする。以降同様に、走査方向Ｚに順次電圧を印加することによって、所望の画像を画像表示媒体１２に表示することができる。
【００３６】
ここで、例えば、背面基板３０のライン状電極４２ａと表示基板２４のライン状電極２６ｂとの交点７０に対応する画素を表示する場合、交点７０の画素には、Ｖｃｏｎ（画像信号電圧）―Ｖｒｏｎ（走査電圧）の電圧が印加されて画像が表示される。このとき、交点７０の画素以外にも、ライン状電極４２ａに沿った画素列にはＶｃｏｎの電圧が同時に印加されるため、Ｖｃｏｎまたは−Ｖｒｏｎの電圧では粒子（白色粒子２２及び黒色粒子２４）が移動せず画像が表示されないことが単純マトリクス駆動を実施するための前提条件となる。
【００３７】
図６に、本実施の形態で使用した画像表示媒体１２における、表示基板１６と背面基板１８との間に印加された電界強度と画像表示濃度（反射濃度）の関係を示す。これは、正の電界で黒表示から白表示に、負の電界で白表示から黒表示に変わる画像表示媒体の例である。図６によれば、電界強度に応じて表示濃度は変化し、電界強度が強いほど高い表示コントラストが得られる。また、正の電界強度Ｅ1あるいは負の電界強度Ｅ1'までは粒子が移動せず、表示濃度が変化しない電界領域があることがわかる。
【００３８】
そこで、本実施の形態では、画像表示のための電圧｜Ｖｃｏｎ−Ｖｒｏｎ｜を１２０Ｖとし、粒子が移動しない電圧としてＶｒｏｎ８０Ｖ、Ｖｃｏｎ４０Ｖを印加するものとして説明する。
【００３９】
次に、電圧印加方法詳細について説明する。
【００４０】
図３には、図２に示した画像表示媒体１２のＢ−Ｂ断面図を示した。まず、粒子の配列を整えるために、背面基板１８のライン状電極３４を接地し、表示基板１６のライン状電極２８全てに＋２００Ｖを印加する。これによって、負に帯電した白色粒子２２が表示基板１６側へ移動し、正に帯電した黒色粒子２４が背面基板１８側へ移動する。これにより、画像表示媒体１２には、良好な白表示画像が提供される。
【００４１】
次に、黒表示を行う場合について説明する。図４（Ａ）には、同一区画内に配置された背面基板１８のライン状電極３４（３４ａ、３４ｂ、３４ｃ、及び３４ｅ）、及び各々のライン状電極３４（３４ａ、３４ｂ、３４ｃ、及び３４ｅ）に印加する電圧の電位を示した。図４（Ｂ）には、前記区画と同一の区画内に配置された表示基板１６のライン状電極２８（２８ａ、２８ｂ、２８ｃ、２８ｄ及び２８ｅ）及び、ライン状電極２８（２８ａ、２８ｂ、２８ｃ、２８ｄ及び２８ｅ）各々に印加する電圧を示した。
【００４２】
なお、ライン状電極３４ａ、３４ｂ、３４ｃ、及び３４ｅと、ライン状電極２８ａ、２８ｂ、２８ｃ、２８ｄ及び２８ｅとは、間隙部材２０によって同一区画内に含まれるように区画化されているものとして説明する。
【００４３】
上記区画内に黒表示を行うには、まず、図４（Ａ）に示すように、背面基板１８の黒表示を行う区画内に形成されたライン状電極３４ｂ、ライン状電極３４ｃ、及びライン状電極３４ｄの３本のライン状電極３４に、走査電圧Ｖｒｏｎとして１２０Ｖの電圧を印加する。このとき、ライン状電極３４ｂ、３４ｃ、及び３４ｄ以外のライン状電極３４には、８０Ｖの電圧を印加する。これと同時に、図４（Ｂ）に示すように、表示基板１６のライン状電極２８ｂ、２８ｃ、及び２８ｄに、画像信号電圧Ｖｃｏｎとして０Ｖの電圧を印加する。このとき、ライン状電極２８ｂ、２８ｃ、及び２８ｄ以外のライン状電極２８には、４０Ｖの電圧を印加する。これにより、図５に示すように、区画内の負に帯電した白色粒子２２が背景基板１８側へ移動し、正に帯電した黒色粒子２４が表示基板１６側へ移動する。これにより、上記区画において、良好な黒表示画像が提供される。
【００４４】
同様に、画像情報に応じて、各区画内に形成された３本のライン状電極２８、及び３本のライン状電極３４に、それぞれ同電位の電圧印加を順次走査方向Ｚに繰り返し行うことによって、所望の白黒画像を提示することができる。
【００４５】
このように、同一区画内に配置されたライン電極に対して同電圧を印加することによって白黒表示を行ったところ、移動すべき白色粒子２２及び黒色粒子２４が移動すべきではない位置へ移動することがなく、画質の低下がみられず、鮮明な白黒表示画像を得ることができた。
【００４６】
従って、同一区画内に形成された表示基板１６及び背面基板１８のライン状電極毎に、それぞれ同一電圧を印加することによって、簡単に画質を向上することができる。
【００４７】
また、本発明の画像表示装置１０は、各区画内の一部を光が透過するように着色粒子（白色粒子２２及び黒色粒子２４）を移動する画像表示媒体１２に効果的である。例えば、赤、緑、青を含む着色層３６（３６Ｙ、３６Ｍ、３６Ｃ）を形成した背面基板１８を構成し、封入された着色粒子（白色粒子２２及び黒色粒子２４）を着色層３６が露出するように電界を印加して移動させ、所定の着色層３６を露出させることによって、多色表示を行うものがある。この画像表示媒体１２において着色粒子（白色粒子２２及び黒色粒子２４）の色による表示を行う場合に本発明を適用することで、白黒表示が鮮明になる。
【００４８】
なお、本実施の形態では、隙間部材２０によって形成される各々の区画に３本の電圧印加可能な電極（ライン状電極）が含まれる場合を説明したが、各々の区画に複数の電極が設けられた構成であればよく、本実施の形態のような構成に限られるものではない。
【００４９】
また、本実施の形態では、ライン状電極２８は表示基板１６のガラス基板２６に積層されているものとして説明したが、ライン状電極２８を表示基板１６と別体として設けてもよい。同様に、ライン状電極３４は背面基板１８のガラス基板３２に積層されているものとして説明したが、ライン状電極３４を背面基板１８と別体として設けてもよい
また、本実施の形態では、画像表示媒体１２は、マトリクス駆動方式の構成として説明したが、この方式に限定されるものではなく、上記に説明したように、各々の区画に２つ以上の別々に電圧印加可能な電極が形成された構成であれば、独立して電圧を印加可能な複数の孤立電極を規則的に配置した電極ヘッドを使用し、表示画素毎に電界を印加することによって画像を表示するアクティブ駆動方式の構成を用いてもよい。なお、このときに印可する電圧は、電圧の印加により基板間に発生する電位差によって、黒色粒子３８及び白色粒子３６が移動できる程度の電圧であればよい。
【００５０】
また、本実施の形態では、同一区画内に複数のライン状電極が配置された画像表示媒体１２の一例として、背景基板１８に着色層３６を設けた構成を説明したが、着色層３６を設けない構成も可能である。
【００５１】
【発明の効果】
以上説明したように、本発明の画像表示装置によれば、表示基板と背面基板との間を、表示基板用電極と背面基板用電極とが交差する交点部に対応する画素領域が複数含まれるように区画化し、少なくとも一区画内を同電位の電圧印加するので、区画毎に均一な着色粒子の移動を制御することができ、滲みや抜けの無い画質向上された表示画像を得ることができる、という効果が得られる。
【図面の簡単な説明】
【図１】本実施の形態に係る画像表示装置の概略構成を示したものである。
【図２】本実施の形態に係る画像表示装置の電気的な構成をブロック図として示したものである。
【図３】本実施の形態に係る画像表示媒体の図２のＢ−Ｂ断面図である。
【図４】本実施の形態に係る各区画毎に形成されたライン状電極の模式図であり、（Ａ）は背面基板のライン状電極、（Ｂ）は表示基板のライン状電極を示したものである。
【図５】本実施の形態に係る画像表示媒体の電圧を印加した状態の図２のＢ−Ｂ断面図である。
【図６】本発明の実施の形態に係る画像表示媒体の対向電極間に形成される電界強度と画像表示濃度との関係を示す線図である。
【符号の説明】
１０  画像表示装置
１２  画像表示媒体
１６  表示基板
２８、３８  ライン状電極
１８  背面基板
２２  白色粒子
２４  黒色粒子
【図１】
2004198861.tif 000003
【図２】
2004198861.tif 000004
【図３】
2004198861.tif 000005
【図４】
2004198861.tif 000006
【図５】
2004198861.tif 000007
【図６】
2004198861.tif 000008